(57)【要約】【課題】流通時や店舗陳列時には容器の高さが低く、商品の購入者が電子レンジで加熱調理するときには購入者自身で容器の高さを高くできるようにし、水やお湯を差して電子レンジにて加熱調理できる食品を収めた商品の輸送効率や収納効率を高め、加熱調理時における吹き零れも防止できるようにする。【解決手段】上面を出し入れ口とした胴部６に蛇腹状部７を有して上下方向に伸縮可能に設けられた容器本体２と、容器本体２の胴部６の下部に固定して下部回りを囲む紙製カップ３と、容器本体２の胴部６の上部に係止して容器本体２と紙製カップ３とを囲む紙製スリーブ４とを備え、紙製スリーブ４の上方への引き上げにより容器本体２が上方に伸長する構成とした。【選択図】　　図１
2004059127.tif 000002
【特許請求の範囲】
【請求項１】
上面を出し入れ口とした胴部に蛇腹状部を有して上下方向に伸縮可能に設けられた容器本体と、前記容器本体の胴部の下部に固定して該下部回りを囲む紙製カップと、前記容器本体の胴部の上部に係止して容器本体と前記紙製カップとを囲む紙製スリーブとを備え、前記紙製スリーブの上方への引き上げにより前記容器本体が上方に伸長する構成としたことを特徴とする電子レンジ用容器。
【請求項２】
上方に引き上げた上記紙製スリーブの下端が上記紙製カップの上端に係止可能に設けられて、紙製スリーブと紙製カップとの係止により容器本体の伸長状態を維持する構成とした請求項１に記載の電離レンジ用容器。
【発明の詳細な説明】
【０００１】
【発明の属する技術分野】
本発明は電子レンジの加熱調理により食する食品を収容した電子レンジ用容器に関するものである。
【０００２】
【発明が解決しようとする課題】
従来から、電子レンジを用いた加熱調理により食することのできる食品において、水やお湯を差してから電子レンジに入れて加熱調理を行なうようにしたラーメンやシチューなどの食品があり、加工済みの食品を電子レンジの加熱調理に適合したカップ状の容器に収容した商品が多く流通している。
ところで、上記商品では電子レンジ専用容器を用意することなく水やお湯を差すだけで電子レンジにて加熱調理することができるため、加熱調理に際して手数を要しないが、加熱調理時の吹き零れを防止する目的として容器内の上部空間を大き目にしており、このため、商品の輸送効率が悪いとともに、商品の収納効率も悪くなっているという点が問題視されていた。
そこで、本発明は上記事情に鑑み、流通時や店舗陳列時には容器の高さが低く、商品の購入者が電子レンジで加熱調理するときには購入者自身で容器の高さを高くできるようにすることを課題とし、水やお湯を差して電子レンジにて加熱調理できる食品を収めた商品の輸送効率や収納効率を高め、加熱調理時における吹き零れも防止できるようにすることを目的とする。
【０００３】
【課題を解決するための手段】
本発明は上記課題を考慮してなされたもので、上面を出し入れ口とした胴部に蛇腹状部を有して上下方向に伸縮可能に設けられた容器本体と、前記容器本体の胴部の下部に固定して該下部回りを囲む紙製カップと、前記容器本体の胴部の上部に係止して容器本体と前記紙製カップとを囲む紙製スリーブとを備え、前記紙製スリーブの上方への引き上げにより前記容器本体が上方に伸長する構成としたことを特徴とする電子レンジ用容器を提供して、上記課題を解消するものである。
そして、本発明において、上方に引き上げた上記紙製スリーブの下端が上記紙製カップの上端に係止可能に設けられて、紙製スリーブと紙製カップとの係止により容器本体の伸長状態を維持する構成とすることが可能である。
【０００４】
【発明の実施の形態】
つぎに本発明を図１から図３に示す実施の形態に基づいて詳細に説明する。
図中１は電子レンジ用容器で、該電子レンジ用容器１は図１に示されているようにブロー成形などの手法により成形された合成樹脂製の容器本体２と紙製カップ３と紙製スリーブ４とからなるものである。
まず、上記容器本体２は、上面を出し入れ口５とした胴部６に蛇腹状部７を有して上下方向（容器高さ方向）に伸縮可能に設けられている。この容器本体２の内部には図示しない食品が収容され、出し入れ口５が蓋材などにて封止される。また、この電子レンジ用容器１の商品流通段階や店舗陳列段階などでは、図１と図２に示すように前記蛇腹状部７を縮めて容器本体２の高さ寸法を小さくした状態であり、収容されている食品はこの縮められた状態で内部に収まる形状、大きさ、量のものである。
【０００５】
上記蛇腹状部７の下端から容器底面にかけての胴部６の下部は縮径する形状であり、この形状に対応するようにして下方から紙製カップ３を取付固定している。紙製カップ３は後述するように容器本体２を伸長して内部に水やお湯を入れたときにもこの電子レンジ用容器１全体が安定して起立するように、容器本体２の座体としての役割を果たすとともに、電子レンジの加熱調理後にこの電子レンジ用容器１に手を触れたときに熱さを手に伝え難くする断熱材の役割も果たすものであり、この目的に応じるように紙製カップ３の厚さ、紙素材などが自由に選択できる。
【０００６】
上記紙製スリーブ４は上端が容器本体２の胴部６の上部に係止してこの容器本体２と上記紙製カップ３とを囲む形状とし、高さ寸法は、図示されているように商品流通時や店舗陳列時などの蛇腹状部７が縮んでいる状態の時に紙製カップ３の底面高さ位置近くに達するようにして容器本体２と紙製カップ３の外周を覆うことができる寸法に設定されている。そして、紙製スリーブ４を引き上げることで、容器本体２の胴部６における蛇腹状部７を伸ばし容器本体２を伸長させることができる。
この紙製スリーブ４は、縮んでいる状態や伸長している状態の容器本体２の外周を隠して本電子レンジ用容器１の外観を整える役割をするとともに、紙製カップ３と同じように電子レンジの加熱調理後に手を触れたときに熱さを手に伝え難くする断熱材の役割も果たすものであり、内周面側には段ボールのライナーとして用いる波板材８を配している。勿論、断熱材としての役割を果たす目的に応じるように紙素材や厚さなどを自由に選択できる。
【０００７】
上記構造の電子レンジ用容器１に収容された食品を電子レンジにて加熱調理する場合には、紙製スリーブ４を上方に引き上げて容器本体２を伸長させる。これによって容器本体２を嵩高にし、蛇腹状部７の折り返し部分などを目安にして水やお湯などを入れてから電子レンジにて加熱調理すればよい。このように紙製スリーブ４の引き上げによって容器本体２が伸長しているため、吹き零れを防止することができる。
本電子レンジ用容器１では、容器本体２を伸長するに際して、上方に引き上げた紙製スリーブ４の下端が紙製カップ３の上端に係止可能に設けられているものであって、紙製スリーブ４を若干変形させることで、紙製スリーブ４の一部分の下端（下部周辺の一部分）が紙製カップ３の上端に乗るように係止する（図３）。また、紙製スリーブ４の波板材８をその下端回りにおいて弾性的に縮径する構成とすれば、紙製スリーブ４を引き上げたときに波板材８の下端回りが縮径して紙製カップ３の上端に係止させることができる。一方、伸長した容器本体２は蛇腹状部７の縮まろうとする復元力によって紙製スリーブ４に対して降ろす方向に力を作用させるようになり、よって、紙製スリーブ４と紙製カップ３との係止により容器本体２の伸長状態を維持する構成としている。このようにして容器本体２の伸長状態を維持することで電子レンジ用容器１の形状も安定し、取り扱いが簡単になる。
【０００８】
【発明の効果】
以上説明したように、本発明によれば、上面を出し入れ口とした胴部に蛇腹状部を有して上下方向に伸縮可能に設けられた容器本体と、前記容器本体の胴部の下部に固定して該下部回りを囲む紙製カップと、前記容器本体の胴部の上部に係止して容器本体と前記紙製カップとを囲む紙製スリーブとを備え、前記紙製スリーブの上方への引き上げにより前記容器本体が上方に伸長する構成としたことを特徴とするものである。これによって、紙製スリーブを引き上げるという簡単な操作で容器本体の高さ寸法を大きくなり、水やお湯を差して電子レンジにて加熱調理する場合の吹き零れを防止することができるとともに、商品流通時や店舗陳列時にはコンパクトな商品形態となり、輸送効率や収納効率を高めることができる。
また、上方に引き上げた上記紙製スリーブの下端が上記紙製カップの上端に係止可能に設けられて、紙製スリーブと紙製カップとの係止により容器本体の伸長状態を維持する構成とするとで、蛇腹状部が存在しても伸長時の容器本体の形状を安定させることができるなど、実用性に優れた効果を奏するものである。
【図面の簡単な説明】
【図１】本発明の電子レンジ用容器の一例を分離した状態で示す説明図である。
【図２】一例における容器本体が収縮している状態を示す説明図である。
【図３】一例における容器本体を伸長させた状態を示す説明図である。
【符号の説明】
１…電子レンジ用容器
２…容器本体
３…紙製カップ
４…紙製スリーブ
５…出し入れ口
６…胴部
７…蛇腹状部
８…波板材
【図１】
2004059127.tif 000003
【図２】
2004059127.tif 000004
【図３】
2004059127.tif 000005